(57)【特許請求の範囲】
【請求項１】
一方の建物ユニットと当該一方の建物ユニットと連結された他方の建物ユニットとを含んで構成された建物における内壁の当該一方の建物ユニット側の一部を構成し、当該一方の建物ユニットと当該他方の建物ユニットとの連結部側に配置されて建物高さ方向に延在する第１連結部側縦桟を含んで構成されると共に建物上方側の部分が当該建物の天井部に固定され、建物下方側の部分が当該建物の床部に固定された木製の第１内壁フレームと、
前記内壁の前記他方の建物ユニット側の一部を構成し、前記連結部側に配置されて建物高さ方向に延在すると共に前記第１連結部側縦桟に対向して配置された第２連結部側縦桟を含んで構成されると共に建物上方側の部分が前記天井部に固定され、建物下方側の部分が前記床部に固定された木製の第２内壁フレームと、
前記第１連結部側縦桟の前記第２連結部側縦桟側に当該第１連結部側縦桟に沿って取り付けられると共に内壁材を取り付け可能な第１受け部材と、
前記第２連結部側縦桟の前記第１連結部側縦桟側に当該第２連結部側縦桟に沿って取り付けられると共に内壁材を取り付け可能な第２受け部材と、
を有する建物の内壁構造。
【請求項２】
前記建物の外壁における外壁フレームと前記第１内壁フレーム及び前記第２内壁フレームの少なくとも一方との間に当該一方と相対移動可能な状態で断熱材が挟持されている、
請求項１に記載の建物の内壁構造。
【請求項３】
前記第１受け部材は、前記一方の建物ユニットの躯体の一部を構成しかつ前記連結部側に配置された第１の柱と前記第１連結部側縦桟との間に配置されると共に、
前記第２受け部材は、前記他方の建物ユニットの躯体の一部を構成しかつ前記連結部側に配置された第２の柱と前記第２連結部側縦桟との間に配置されている、
請求項１又は請求項２に記載の建物の内壁構造。
【請求項４】
前記第１受け部材の屋内側の面は、前記第１の柱の屋内側の面よりも屋内側に配置されると共に、
前記第２受け部材の屋内側の面は、前記第２の柱の屋内側の面よりも屋内側に配置されている、
請求項３に記載の建物の内壁構造。
【発明の詳細な説明】
【技術分野】
【０００１】
本発明は、建物の内壁構造に関する。
【背景技術】
【０００２】
下記特許文献１には、補強用リブ付き壁パネルの取付構造に関する発明が開示されている。この補強用リブ付き壁パネルの取付構造では、建物ユニットの壁パネルを構成する面材の側部に沿って、この面材と一体に補強用折曲部が設けられており、壁パネルを構成する部材の部材点数を少なくすることができる。
【先行技術文献】
【特許文献】
【０００３】
【特許文献１】特開平８−２３２４３８号公報（図４）
【発明の概要】
【発明が解決しようとする課題】
【０００４】
しかしながら、上記特許文献１に開示された補強用リブ付き壁パネルの取付構造では、面材が折り曲げられて補強用折曲部が形成されているため、壁パネルの構成が複雑になる。また、上記先行技術では、建物ユニット同士の連結部に壁パネル間に跨る接続用壁パネルを取り付けるために、一方の建物ユニットと他方の建物ユニットとで壁パネルの構成が異なったものとなっている。詳しくは、一方の建物ユニット側の壁パネルの補強用折曲部には、受け部材が取り付けられており、他方の建物ユニット側の壁パネルの補強用折曲部には、接続用壁パネルの一端部が取り付けられている。そして、上記先行技術では、工場で他方の建物ユニット側の壁パネルに接続用壁パネルが仮止めされて、現地で接続用壁パネルの他端部が受け部材に取り付けられている。つまり、上記先行技術は、一方の建物ユニットと他方の建物ユニットとの連結部に接続用壁パネルを取り付けるために、壁パネルの構成をより一層複雑なものとしている。
【０００５】
本発明は上記事実を考慮し、簡易な構成によって、現地で一方の建物ユニットと他方の建物ユニットとの連結部に追加内壁材を取り付けることができる建物の内壁構造を得ることが目的である。
【課題を解決するための手段】
【０００６】
第１の態様に係る建物の内壁構造は、一方の建物ユニットと当該一方の建物ユニットと連結された他方の建物ユニットとを含んで構成された建物における内壁の当該一方の建物ユニット側の一部を構成し、当該一方の建物ユニットと当該他方の建物ユニットとの連結部側に配置されて建物高さ方向に延在する第１連結部側縦桟を含んで構成された木製の第１内壁フレームと、前記内壁の前記他方の建物ユニット側の一部を構成し、前記連結部側に配置されて建物高さ方向に延在すると共に前記第１連結部側縦桟に対向して配置された第２連結部側縦桟を含んで構成された木製の第２内壁フレームと、前記第１連結部側縦桟の前記第２連結部側縦桟側に当該第１連結部側縦桟に沿って取り付けられた第１受け部材と、前記第２連結部側縦桟の前記第１連結部側縦桟側に当該第２連結部側縦桟に沿って取り付けられた第２受け部材と、を有している。
【０００７】
第１の態様に係る建物の内壁構造では、一方の建物ユニットと当該一方の建物ユニットと連結された他方の建物ユニットとを含んで建物が構成されている。この建物の内壁における一方の建物ユニット側の部分は、木製の第１内壁フレームを含んで構成されており、当該第１内壁フレームは、当該一方の建物ユニットと他方の建物ユニットとの連結部側に配置されて建物高さ方向に延在する第１連結部側縦桟を備えている。一方、建物の内壁における他方の建物ユニット側の部分は、木製の第２内壁フレームを含んで構成されており、当該第２内壁フレームは、一方の建物ユニットと当該他方の建物ユニットとの連結部側に配置されて建物高さ方向に延在する第２連結部側縦桟を備えている。
【０００８】
ここで、本態様では、第１連結部側縦桟の第２連結部側縦桟側に当該第１連結部側縦桟に沿って第１受け部材が取り付けられると共に、第２連結部側縦桟の第１連結部側縦桟側に当該第２連結部側縦桟に沿って第２受け部材が取り付けられている。このため、建物の内壁における一方の建物ユニット側の部分と当該内壁における他方の建物ユニット側の部分との境界部には、一方の建物ユニット側と他方の建物ユニット側とのそれぞれに建物高さ方向に沿う取付代が確保される。その結果、この取付代に一方の建物ユニットと他方の建物ユニットとの連結部に跨る追加内壁材を現地で取り付けることが可能となる。しかも、追加内壁材の取付代を確保するにあたって、第１内壁フレーム及び第２内壁フレームの構成は基本的に維持されると共に、これらの内壁フレームには上述したようにそれぞれ同様に第１受け部材又は第２受け部材が配置されている。このため、本態様では、追加内壁材の取り付けに伴う建物の内壁の構成の複雑化が抑制される。
【０００９】
第２の態様に係る建物の内壁構造は、第１の態様に係る建物の内壁構造において、前記第１受け部材は、前記一方の建物ユニットの躯体の一部を構成しかつ前記連結部側に配置された第１の柱と前記第１連結部側縦桟との間に配置されると共に、前記第２受け部材は、前記他方の建物ユニットの躯体の一部を構成しかつ前記連結部側に配置された第２の柱と前記第２連結部側縦桟との間に配置されている。
【００１０】
第２の態様に係る建物の内壁構造では、第１受け部材は、一方の建物ユニットの躯体の一部を構成しかつ当該一方の建物ユニットと他方の建物ユニットとの連結部側に配置された第１の柱と第１連結部側縦桟との間に配置されている。一方、第２受け部材は、他方の建物ユニットの躯体の一部を構成しかつ１建物ユニットと当該他方の建物ユニットとの連結部側に配置された第２の柱と第２連結部側縦桟との間に配置されている。このため、第１の柱における第１連結部側縦桟側に配置される断熱材や防湿材等の部材を第１受け部材で位置決めすることができると共に、第２の柱における第２連結部側縦桟側に配置される断熱材や防湿材等の部材を第２受け部材で位置決めすることができる。
【００１１】
第３の態様に係る建物の内壁構造は、第２の態様に係る建物の内壁構造において、前記第１受け部材の屋内側の面は、前記第１の柱の屋内側の面よりも屋内側に配置されると共に、前記第２受け部材の屋内側の面は、前記第２の柱の屋内側の面よりも屋内側に配置されている。
【００１２】
第３の態様に係る建物の内壁構造では、第１受け部材の屋内側の面が第１の柱の屋内側の面よりも屋内側に配置されており、第１受け部材の屋内側の面に取り付けられる追加内壁材と第１の柱の屋内側の面との間にスペースを確保することができる。また、本態様では、第２受け部材の屋内側の面が第２の柱の屋内側の面よりも屋内側に配置されており、第２受け部材の屋内側の面に取り付けられる追加内壁材と第２の柱の屋内側の面との間にスペースを確保することができる。
【００１３】
第４の態様に係る建物の内壁構造は、第２の態様又は第３の態様に係る建物の内壁構造において、前記第１受け部材の内壁厚さ方向の寸法は、前記第１連結部側縦桟の内壁厚さ方向の寸法よりも小さい寸法に設定されると共に、前記第２受け部材の内壁厚さ方向の寸法は、前記第２連結部側縦桟の内壁厚さ方向の寸法よりも小さい寸法に設定されている。
【００１４】
第４の態様に係る建物の内壁構造では、第１受け部材の内壁厚さ方向の寸法が第１連結部側縦桟の内壁厚さ方向の寸法よりも小さい寸法に設定されている。このため、一方の建物ユニットの第１の柱と第１連結部側縦桟との間に断熱材や防湿材等の部材を配置することができると共に、当該部材の位置決めを第１受け部材と第１連結部側縦桟とで行うことができる。また、本態様では、第２受け部材の内壁厚さ方向の寸法が第２連結部側縦桟の内壁厚さ方向の寸法よりも小さい寸法に設定されている。このため、他方の建物ユニットの第２の柱と第２連結部側縦桟との間に断熱材や防湿材等の部材を配置することができると共に、当該部材の位置決めを第２受け部材と第２連結部側縦桟とで行うことができる。
【発明の効果】
【００１５】
以上説明したように、第１の態様に係る建物の内壁構造では、簡易な構成によって、現地で一方の建物ユニットと他方の建物ユニットとの連結部に追加内壁材を取り付けることができるという優れた効果を有する。
【００１６】
第２の態様に係る建物の内壁構造では、建物の内壁の構成を複雑化することなく、建物ユニットの躯体の柱のうち建物ユニット同士の連結部側の柱の周辺部に配置される部材の位置決め作業を簡略化することができるという優れた効果を有する。
【００１７】
第３の態様に係る建物の内壁構造では、建物ユニットの躯体の柱のうち建物ユニット同士の連結部側の柱の屋内側に種々の部材を配置し、建物の内壁における追加内壁材で構成される部分に種々の機能を付与することができるという優れた効果を有する。
【００１８】
第４の態様に係る建物の内壁構造では、建物ユニットの躯体の柱のうち建物ユニット同士の連結部側の柱の周辺部に部材を配置可能なスペースをより広く確保し、当該部材を安定した状態で配置することができるという優れた効果を有する。
【図面の簡単な説明】
【００１９】
【図１】本実施形態に係る建物の内壁構造における建物ユニットの連結部側の構成を示す拡大断面図（図７の１−１線に沿って切断した状態を示す断面図）である。
【図２】本実施形態に係る建物の内壁構造における内壁フレームの構成を示す拡大断面図（図１の２−２線に沿って切断した状態を示す断面図）である。
【図３】本実施形態に係る建物の内壁構造における建物ユニットの連結部側の柱周辺の構造を示す分解斜視図である。
【図４】本実施形態に係る建物の内壁構造を示す拡大断面図（図１の部分拡大図）である。
【図５】本実施形態に係る建物の内壁構造を示す分解斜視図である。
【図６】本実施形態に係る建物の内壁及び外壁の構造を示す拡大断面図（図７の６−６線に沿って切断した状態を示す断面図）である。
【図７】本実施形態に係る建物を構成する建物ユニットの構成を示す斜視図である。
【図８】本実施形態に係る建物を示す斜視図である。
【発明を実施するための形態】
【００２０】
以下、図１〜図８を用いて、本発明の実施形態に係る建物の内壁構造が適用された建物１０の一例について説明する。
【００２１】
まず、本実施形態に係る「建物１０」の全体構造について説明する。図８に示されるように、本実施形態に係る建物１０は、「一方の建物ユニット」としての建物ユニット１４、「他方の建物ユニット」としての建物ユニット１６、建物ユニット１８及び建物ユニット２０を含んで構成されている。具体的には、基礎１２上に複数個の建物ユニット１４、１６が据え付けられて建物１０の下階側が構成されると共に、建物ユニット１４、１６上に複数個の建物ユニット１８、２０が据え付けられて建物１０の上階側が構成されている。
【００２２】
次に、建物ユニット１４を例にとって、当該建物ユニット１４の「躯体」としての躯体フレーム２２の構成について説明する。この躯体フレーム２２は、図２、図３及び図６に一部示されるように、四隅に立設された柱２４と、柱２４の上端部同士を連結する天井フレーム２６と、柱の下端部同士を連結する床フレーム２８と、によって構成されている。天井フレーム２６は、溝形鋼によって構成された天井大梁３０と当該天井大梁３０よりも短い天井大梁３２とが矩形枠状に配置されると共に、天井大梁３０の間に複数の図示しない天井小梁が所定の間隔で架け渡されることにより構成されている。また、床フレーム２８も天井フレーム２６と同様の構成とされており、溝形鋼によって構成された床大梁３４と当該床大梁３４よりも短い床大梁３６とが矩形枠状に配置されて構成されている。そして、天井フレーム２６の建物下方側に天井下地材３８と天井材４０とを含んで天井部４２が構成されると共に、床フレーム２８の建物上方側に床下地材４４と床材４６とを含んで床部４８が構成されている。
【００２３】
天井部４２の構成についてより詳しく説明すると、板材で構成された天井下地材３８が、ウェブ部３０Ａを屋外側とされて配置された天井大梁３０の下側フランジ部３０Ｂの下面に当接状態で配設されている。そして、天井下地材３８の下面部に、矩形平板状の天井材４０が、その屋外側の端部を当該下面部の屋外側の周縁部から建物内側に所定距離離間された状態で、建物ユニット１４の長手方向に沿って所定枚数敷設されている。なお、天井材４０の仕上げ面には、図示しない天井仕上げ用の天井クロスが張られている。
【００２４】
次に、床部４８の構成について説明すると、矩形断面の角材で形成された床下地材４４が、ウェブ部３４Ａを屋外側とされて配置された床大梁３４の上側フランジ部３４Ｂの上面に当接状態で配設されている。そして、床下地材４４の上面部に、矩形平板状の床材４６が、その屋外側の端部を当該上面部の屋外側の周縁部から建物内側に所定距離離間された状態で、建物ユニット１４の長手方向に沿って所定枚数敷設されている。なお、床材４６の仕上げ面には、図示しない床仕上げ材が敷設されている。
【００２５】
また、建物ユニット１４と連結された建物ユニット１６の天井部４３は天井部４２と同様の構成とされており、建物ユニット１６の床部４９の構成は床部４８と同様の構成とされている。そして、天井部４２と天井部４３とは、天井部４２の天井下地材３８と天井部４３の天井下地材３８とに跨って取り付けられた天井材４１で連結されている。一方、床部４８と床部４９とは、床部４８の床下地材４４と床部４９の床下地材４４とに跨って取り付けられた床材４７で連結されている。
【００２６】
図７に示されるように、天井大梁３０及び床大梁３４の屋外側には、外壁パネル５０及び外壁パネル５２が建物１０の外周面に沿って並べて取り付けられており、建物１０の外壁５４の一部を構成している。なお、外壁パネル５０は、外壁５４の一般部を構成しており、外壁パネル５２は、外壁５４における建物ユニット１４と建物ユニット１６との「連結部１４０」の部分を構成している。
【００２７】
まず、外壁５４の一般部を構成する外壁パネル５０の構成について説明する。図４〜図６にも示されるように、外壁パネル５０は、矩形枠状の外壁フレーム５６と、矩形平板状の外壁材５８と、を含んで構成されると共に、その幅方向を建物ユニット１４の長手方向とされて配置されている。
【００２８】
外壁フレーム５６は、建物高さ方向に延在する縦桟６０、６２、当該縦桟６０、６２の上端部に架け渡された横桟６４及び当該縦桟６０、６２の下端部に架け渡された横桟６６を含んで構成されている。詳しくは、縦桟６０は、溝形鋼で構成されると共に、そのウェブ部６０Ａを外壁パネル５０の幅方向外側とされて配置されている。この縦桟６０は、その上端部側及び下端部側において屋内側のフランジ部６０Ｂが切り欠かれており、当該縦桟６０の一端部及び下端部の断面形状がＬ字状とされている。そして、縦桟６０の屋内側のフランジ部６０Ｂには、後述するように断熱材１１６が取り付けられると共に、縦桟６０の屋外側のフランジ部６０Ｃには、後述するように外壁材５８が取り付けられている。なお、縦桟６２は、外壁パネル５０の幅方向の中心線に対して縦桟６０と対称な構成とされている。
【００２９】
一方、横桟６４は、溝形鋼で構成されると共に、そのウェブ部６４Ａを建物下方側とされて配置されている。そして、ウェブ部６４Ａにおける外壁パネル５０の幅方向の一端部に縦桟６０の上端部が、ウェブ部６４Ａの他端部に縦桟６２の上端部が、それぞれ溶接等による接合部によって接合されている。また、横桟６４の屋外側のフランジ部６４Ｂは、屋外側から見て、その建物上方側の端部が天井大梁３０の上側フランジ部３０Ｃよりも建物上方側に位置するように形成されると共に、後述するように外壁材５８が取り付けられている。一方、横桟６４の屋内側のフランジ部６４Ｃは、その建物上方側の端部が天井大梁３０の上側フランジ部３０Ｃよりも建物下方側に位置するように形成されている。また、フランジ部６４Ｃの屋外側の面には、外壁パネル５０の幅方向の複数箇所にウエルドナット６８が設けられており、一方、天井大梁３０のウェブ部３０Ａには、ウエルドナット６８に対応する図示しない挿通孔が形成されている。そして、天井大梁３０のウェブ部３０Ａの屋内側からボルト７０がウエルドナット６８に螺合されることで、外壁フレーム５６の建物上方側が天井大梁３０に固定されている。
【００３０】
横桟６６は、外壁パネル５０の幅方向に延在する上壁部６６Ａと、当該上壁部６６Ａの屋外側の端部から建物下方側に延出された正面壁部６６Ｂと、を含んで、断面Ｌ字状に形成されている。そして、上壁部６６Ａにおける外壁パネル５０の幅方向の一端部に縦桟６０の下端部が、上壁部６６Ａの他端部に縦桟６２の下端部が、それぞれ溶接等による接合部によって接合されている。なお、正面壁部６６Ｂには、後述するように外壁材５８が取り付けられている。
【００３１】
また、横桟６６の上壁部６６Ａにおける外壁パネル５０の幅方向の両端部には、床大梁３４に面する縦壁部７２Ａを備えると共に断面Ｌ字状に形成されたブラケット７２が、溶接等による接合部によって接合されている。このブラケット７２の縦壁部７２Ａの屋外側の面には、ウエルドナット６８が設けられており、一方、床大梁３４のウェブ部３４Ａには、ウエルドナット６８に対応する図示しない挿通孔が形成されている。そして、床大梁３４のウェブ部３４Ａの屋内側からボルト７０がウエルドナット６８に螺合されることで、外壁フレーム５６の建物下方側が床大梁３４に固定されている。
【００３２】
上記構成の外壁フレーム５６は、躯体フレーム２２に取り付けられた状態において、一方の外壁フレーム５６の縦桟６０におけるウェブ部６０Ａと他方の外壁フレーム５６の縦桟６２におけるウェブ部６２Ａとが当接された状態となっている。また、この状態において、ウェブ部６０Ａの建物高さ方向の複数箇所に形成された図示しない挿通孔とウェブ部６２Ａの当該挿通孔に対応する図示しない挿通孔とが位置合わせされた状態となっている。そして、これらの挿通孔にボルト７４が挿通されると共に、当該ボルト７４にナット７６が螺合されることで、外壁フレーム５６同士が連結されている。なお、図４には、外壁パネル５０と外壁パネル５２とが連結されている状態が示されているが、外壁パネル５０同士の連結されている状態もこれと同様である。
【００３３】
また、外壁フレーム５６同士の境界部には、建物高さ方向に延在する矩形シート状の止水材７８が、当該境界部を屋外側から覆うように縦桟６０のフランジ部６０Ｃ及び縦桟６２のフランジ部６２Ｂに張り付けられている。さらに、外壁材５８が止水材７８を介して、縦桟６０のフランジ部６０Ｃ及び縦桟６２のフランジ部６２Ｂに当接されている。そして、タッピングスクリュー８０が外壁材５８の屋外側から取り付けられて、当該外壁材５８がフランジ部６０Ｃ、６２Ｂ、横桟６４のフランジ部６４Ｂ及び横桟６６の正面壁部６６Ｂに固定されることで、外壁パネル５０が構成されている。なお、本実施形態では、一例として、建物ユニット１４に当該建物ユニット１４の長手方向に４枚の外壁パネル５０が配置されている。
【００３４】
次に、外壁５４における連結部１４０を構成する外壁パネル５２の構成について説明する。図４に示されるように、建物ユニット１４の外壁パネル５２は、基本的に上述した外壁パネル５０の構成と同様の構成とされているものの、外壁フレーム８２の構成が外壁フレーム５６と一部異なっている。具体的には、外壁フレーム５６の横桟６４に相当する図示しない横桟、横桟６６に相当する横桟８４には、建物ユニット１４の連結部１４０側でかつ屋外側に配置された「第１の柱」としての柱２４が納まる図示しない切欠部が形成されている。なお、以下では特に断らない限り、柱２４は第１の柱としての柱２４を示している。
【００３５】
外壁フレーム８２を構成するこれらの横桟の長さは、外壁フレーム５６を構成する横桟６４、６６の長さよりも短い長さに設定されており、これに対応して外壁パネル５２を構成する外壁材８６の幅も外壁材５８の幅より短い長さに設定されている（図７参照）。すなわち、外壁パネル５２は、外壁パネル５０よりも幅狭とされている。
【００３６】
また、外壁フレーム８２では、外壁フレーム５６の縦桟６２に対応する縦桟８８の構成が当該縦桟６２と異なっている。具体的には、縦桟８８は、屋外側に面しかつ建物高さ方向に延在する正面壁部８８Ａと、当該正面壁部８８Ａにおける外壁パネル５２の幅方向外側の端部から屋内側に延出された側壁部８８Ｂと、を含んで、断面Ｌ字状に構成されている。なお、縦桟８８の正面壁部８８Ａの上端部における屋内側には建物上方側の横桟が、当該正面壁部８８Ａの下端部における屋内側には建物下方側の横桟８４が、それぞれ溶接等による接合部によって接合されている。そして、縦桟８８の側壁部８８Ｂには、建物高さ方向の複数箇所に取付ブラケット９０が設けられている。
【００３７】
取付ブラケット９０は、矩形の板材が２箇所直角状に屈曲されて、その断面形状がジグザグ状となるように構成されている。より詳しくは、取付ブラケット９０は、側壁部８８Ｂにおける外壁パネル５２の幅方向内側の面に沿う接合壁部９０Ａと、柱２４の建物ユニット１６側の側面２４Ａに沿う取付壁部９０Ｂと、を含んで構成されている。そして、接合壁部９０Ａが溶接等による接合部で側壁部８８Ｂに接合されると共に、取付壁部９０Ｂが図示しないボルト等の取付手段によって柱２４に取り付けられている。
【００３８】
また、柱２４の側面２４Ａと取付ブラケット９０との間には、建物高さ方向に延在する四角柱状の硬質ウレタンフォームで構成された断熱材９２が嵌め込まれている。さらに、柱２４の屋外側には、建物高さ方向に延在する矩形板状の硬質ウレタンフォームで構成された断熱材９４が当該柱２４の屋外側の面２４Ｂに当接されると共に、その一部が断熱材９２と縦桟８８の正面壁部８８Ａとに挟持された状態で配置されている。なお、外壁材８６の建物ユニット１６側の部分は、ビス９６で縦桟８８の正面壁部８８Ａに固定されている。
【００３９】
一方、建物ユニット１６の外壁５４における連結部１４０側の部分は、外壁パネル１４２で構成されており、当該外壁パネル１４２は、外壁フレーム１４４及び外壁材８６を含んで、外壁パネル５２と同様の構成とされている。外壁フレーム１４４は、建物ユニット１４と建物ユニット１６との境界に対して外壁フレーム８２と対称な構成とされており、縦桟８８に対応する縦桟１４６と取付ブラケット９０とを含んで構成されている。そして、外壁パネル１４２は、外壁パネル５２と同様に、建物ユニット１６に取り付けられている。具体的には、外壁パネル１４２の取付ブラケット９０は、建物ユニット１６の「躯体」としての躯体フレーム２３を構成すると共に連結部１４０側でかつ屋外側に配置された「第２の柱」としての柱２５に取り付けられている。なお、以下では特に断らない限り、柱２５は第２の柱としての柱２５を示している。また、建物ユニット１６において外壁５４の一般部は、建物ユニット１４と同様に外壁パネル５０で構成されている。そして、外壁パネル１４２において外壁パネル５２の縦桟６０に対応する図示しない縦桟は、建物ユニット１６側の外壁パネル５０に連結されることで固定されている。
【００４０】
また、柱２５の周辺部にも柱２４の周辺部と同様に断熱材９２、９４が配置されると共に、柱２４と柱２５との間には、グラスウールがフィルム材で覆われて構成された建物高さ方向に延びる角柱状の断熱材１４８が配置されている。さらに、外壁フレーム８２の縦桟８８と外壁フレーム１４４の縦桟１４６との間には、建物高さ方向に延びる止水部材１５０が配置されている。なお、建物ユニット１４の隅部に配置された外壁パネル９８の構成は、外壁パネル５２と同様の構成とされている。
【００４１】
ここで、本実施形態では、一例として、建物ユニット１４、１６の「内壁１００」に本実施形態に係る建物の内壁構造が適用されている。以下、本実施形態の要部である建物１０の内壁構造について詳細に説明する。
【００４２】
まず、図２及び図４〜図６を用いて、内壁１００の一般部の構成について説明する。なお、内壁１００は、建物ユニット１４側と建物ユニット１６側とで基本的に同様の構成とされているため、建物ユニット１４側を例にとって内壁１００の一般部の構成について説明していくこととする。これらの図に示されるように、内壁１００の一般部に配置される内壁フレーム１０４は、建物高さ方向に延在する角柱状でかつ木製の一対の縦桟１０６と、建物ユニット１４の長手方向に延在する角柱状でかつ木製の一対の横桟１０８と、を含んで矩形枠状に構成されている。より詳しくは、縦桟１０６及び横桟１０８の断面形状は、建物ユニット１４の短手方向を長手方向とされた矩形状とされている。また、建物上方側の横桟１０８は、縦桟１０６の上端部１０６Ａ間に納まるように配置されると共に、その両端部が縦桟１０６の上端部１０６Ａに図示しない釘等の固定手段によって固定されている。一方、建物下方側の横桟１０８は、縦桟１０６の下端部１０６Ｂ間に納まるように配置されており、その両端部が縦桟１０６の下端部１０６Ｂに図示しない釘等の固定手段によって固定されている。なお、内壁フレーム１０４は、横桟１０８が縦桟１０６の上端部１０６Ａの建物上方側に配置される構成としてもよいし、横桟１０８が縦桟１０６の下端部１０６Ｂの建物下方側に配置される構成としてもよい。
【００４３】
上記構成の内壁フレーム１０４は、その建物上方側が、建物上方側の横桟１０８に当該横桟１０８の建物下方側から上側固定部材としてのネイル１１０が打ち込まれることで、天井部４２、より詳しくは天井材４０及び天井下地材３８に留め付けられている。また、内壁フレーム１０４の建物下方側は、内壁フレーム１０４の建物下方側の横桟１０８に当該横桟１０８の建物上方側から下側固定部材としてのネイル１１０が打ち込まれることで、床部４８、より詳しくは床材４６及び床下地材４４に留め付けられている。そして、内壁フレーム１０４は、建物ユニット１４の長手方向に沿って、換言すれば外壁５４に沿って複数並べて配置されている。また、一方の内壁フレーム１０４と他方の内壁フレーム１０４との境界部において、隣り合う縦桟１０６同士は、面接触された状態で当接されている。なお、内壁フレーム１０４の固定には、ネイル１１０に代えて、タッピングスクリュー等を用いてもよい。また、本実施形態では、一例として、建物ユニット１４に当該建物ユニット１４の長手方向に４つの内壁フレーム１０４が配置されている。
【００４４】
そして、内壁フレーム１０４に屋内側から矩形平板状の石膏ボードで構成された内壁材１１２が、図示しないネイル等の取付手段によって取り付けられると共に、当該内壁材１１２に図示しない内壁仕上げ用の内壁クロスが張られている。また、内壁フレーム１０４で仕切られた空間には、グラスウールがフィルム材で覆われて構成された断熱材１１４が配置されている。さらに、内壁フレーム１０４の屋外側には、矩形板状の押出発泡ポリスチレン（ＸＰＳ）で構成された断熱材１１６が配置されている。この断熱材１１６は、内壁フレーム１０４と外壁フレーム５６の縦桟６０のフランジ部６０Ｂ及び縦桟６２のフランジ部６２Ｃとに挟持された状態で配置されると共に、図示しない接着剤等によって当該フランジ部６０Ｂ、６２Ｃに取り付けられている。なお、本実施形態では、一例として、１つの内壁フレーム１０４に対して１枚の内壁材１１２が配設されている。また、内壁材１１２が内壁フレーム１０４に取り付けられた状態において、内壁材１１２の周縁部に沿って内壁フレーム１０４の縦桟１０６及び横桟１０８が配置されるようになっている。
【００４５】
次に、図１〜図４を用いて、内壁１００における連結部１４０の周辺の構成について説明する。これらの図に示されるように、内壁１００における連結部１４０の周辺部には、柱２４に近接して、「第１内壁フレーム」としての内壁フレーム１１８が配置されている。この内壁フレーム１１８は、縦桟１０６、縦桟１０６と同形状の「第１連結部側縦桟」としての縦桟１５２及び一対の横桟１２０を含んで、内壁フレーム１０４と同様の構成されているものの、横桟１２０の長さが横桟１０８の長さよりも短い長さに設定されている。したがって、内壁フレーム１１８に取り付けられた内壁材１２２及び内壁フレーム１１８で仕切られた空間に配置された断熱材１２４は、内壁１００の一般部に用いられるものよりも幅狭とされている。なお、内壁フレーム１１８を構成する縦桟１０６、縦桟１５２及び一対の横桟１２０は、内壁材１２２の周縁部に沿って配置されている。
【００４６】
また、内壁フレーム１１８の縦桟１５２は、内壁フレーム１１８の連結部１４０側に配置されると共に、柱２４における連結部１４０と反対側の側面２４Ｃに対向して配置されている。この縦桟１５２の連結部１４０側の面１５２Ａには、建物高さ方向に延在する角柱状の「第１受け部材」としての追加縦桟１２６が当該縦桟１０６に沿って配置されると共に図示しないネイル等によって取り付けられている。そして、追加縦桟１２６は、柱２４の側面２４Ｃと縦桟１５２の面１５２Ａとの間に納まると共に、その屋内側の端部が当該面１５２Ａの内壁材１２２側の縁に揃えて配置されている。なお、追加縦桟１２６の「屋内側の面１２６Ａ」は、柱２４の「屋内側の面２４Ｄ」よりも屋内側に配置されている。
【００４７】
一方、建物ユニット１６側における連結部１４０の周辺部には、柱２５に近接して、「第２内壁フレーム」としての内壁フレーム１５４が配置されている。この内壁フレーム１５４は、縦桟１０６、縦桟１０６と同形状の「第２連結部側縦桟」としての縦桟１５６及び一対の横桟１２０を含んで、内壁フレーム１１８と同様の構成とされている。また、内壁フレーム１５４には、内壁フレーム１１８と同様に内壁材１２２が取り付けられており、内壁材１２２及び内壁フレーム１５４で仕切られた空間には、断熱材１２４が配置されている。
【００４８】
内壁フレーム１５４の縦桟１５６は、内壁フレーム１５４の連結部１４０側に配置されると共に、柱２５における連結部１４０と反対側の側面２５Ａに対向して配置されている。つまり、縦桟１５６は、内壁フレーム１１８の縦桟１５２と建物ユニット１４の長手方向に対向して配置されている。この縦桟１５６の連結部１４０側の面１５６Ａには、追加縦桟１２６と同様の構成とされた「第２受け部材」としての追加縦桟１５８が当該縦桟１５６に沿って配置されると共に、図示しないネイル等によって取り付けられている。つまり、本実施形態では、追加縦桟１２６が内壁フレーム１１８の縦桟１５２における縦桟１５６側に配置されており、追加縦桟１５８が内壁フレーム１５４の縦桟１５６のおける縦桟１５２側に配置されている。また、追加縦桟１５８は、柱２５の側面２５Ａと縦桟１５６の面１５６Ａとの間に納まると共に、その屋内側の端部が当該面１５６Ａの内壁材１２２側の縁に揃えて配置されている。なお、追加縦桟１５８の「屋内側の面１５８Ａ」は、柱２５の「屋内側の面２５Ｂ」よりも屋内側に配置されている。
【００４９】
そして、上記のように配置された追加縦桟１２６、１５８の屋内側の面１２６Ａ、１５８Ａには、矩形平板状の石膏ボードで構成されると共に連結部１４０に跨る追加内壁材１２８が取り付けられている。また、追加内壁材１２８の柱２４、２５側の面における追加縦桟１２６、１５８と接触している周縁部以外の部分には、矩形板状の下地合板１３４が張り付けられている。さらに、下地合板１３４の柱２４、２５側の面には、矩形板状の硬質ウレタンフォームで構成された断熱材１３６が張り付けられている。
【００５０】
また、追加縦桟１２６、１５８における内壁１００の厚さ方向（内壁材１２２の厚さ方向）の寸法は、縦桟１５２、１５６における内壁１００の厚さ方向の寸法よりも小さい寸法に設定されている。これにより、柱２４、２５の周辺部における追加縦桟１２６、１５８の屋外側にスペースが形成されるようになっている。
【００５１】
そして、追加縦桟１２６の屋外側のスペースには、柱２４、縦桟１５２、追加縦桟１２６及び断熱材１１６に位置決めされた状態で建物高さ方向に延びる四角柱状の断熱材１３０が配置されている。さらに、この断熱材１３０の屋外側には、当該断熱材１３０と断熱材９４とに位置決めされた状態で建物高さ方向に延びる四角柱状の断熱材１３２が配置されている。
【００５２】
一方、追加縦桟１５８の屋外側のスペースにも、柱２５、縦桟１５６、追加縦桟１５８及び断熱材１１６に位置決めされた状態で断熱材１３０が配置されており、当該断熱材１３０の屋外側には、追加縦桟１２６側と同様に断熱材１３２が配置されている。なお、断熱材１３０、１３２は、グラスウールがフィルム材で覆われて構成されている。
【００５３】
＜本実施形態の作用及び効果＞
次に、本実施形態の作用並びに効果を説明する。
【００５４】
本実施形態では、図１に示されるように、建物ユニット１４と当該建物ユニット１４と連結された建物ユニット１６とを含んで建物１０が構成されている。この建物１０の内壁１００における建物ユニット１４側の部分は、木製の内壁フレーム１１８を含んで構成されており、当該内壁フレーム１１８は、建物ユニット１４と建物ユニット１６との連結部１４０側に配置されて建物高さ方向に延在する縦桟１５２を備えている。一方、内壁１００における建物ユニット１６側の部分は、木製の内壁フレーム１５４を含んで構成されており、当該内壁フレーム１５４は、連結部１４０側に配置されて建物高さ方向に延在する縦桟１５６を備えている。
【００５５】
ここで、本実施形態では、縦桟１５２の縦桟１５６側に当該縦桟１５２に沿って追加縦桟１２６が取り付けられると共に、縦桟１５６の縦桟１５２側に当該縦桟１５６に沿って追加縦桟１５８が取り付けられている。このため、内壁１００における建物ユニット１４側の部分と当該内壁１００における建物ユニット１６側の部分との境界部には、建物ユニット１４側と建物ユニット１６側とのそれぞれに建物高さ方向に沿う取付代が確保される。その結果、工場内で建物ユニット１４、１６に内壁１００の大部分を取り付け、この取付代に連結部１４０に跨る追加内壁材１２８を現地で取り付けることが可能となる。しかも、追加内壁材１２８の取付代を確保するにあたって、内壁フレーム１１８及び内壁フレーム１５４の構成は基本的に維持されると共に、これらの内壁フレーム１１８、１５４には上述したように、それぞれ同様に追加縦桟１２６又は追加縦桟１５８が配置されている。このため、本実施形態では、追加内壁材１２８の取り付けに伴う建物１０の内壁１００の構成の複雑化が抑制される。したがって、本実施形態では、簡易な構成によって、現地で建物ユニット１４と建物ユニット１６との連結部１４０に追加内壁材１２８を取り付けることができる。
【００５６】
また、本実施形態では、追加縦桟１２６は、建物ユニット１４の躯体フレーム２２の一部を構成しかつ連結部１４０側に配置された柱２４と縦桟１５２との間に配置されている。一方、追加縦桟１５８は、建物ユニット１６の躯体フレーム２３の一部を構成しかつ連結部１４０側に配置された柱２５と縦桟１５６との間に配置されている。このため、柱２４における縦桟１５２側に配置される断熱材１３０を追加縦桟１２６で位置決めすることができると共に、柱２５における縦桟１５６側に配置される断熱材１３０を追加縦桟１５８で位置決めすることができる。具体的には、追加縦桟１２６、１５８によって、断熱材１３０の屋内側の位置が規定されている。なお、これは、断熱材１３０を配置する場合に限らず、防湿材等の部材を配置する場合でも同様である。したがって、本実施形態では、建物ユニット１４、１６の躯体フレーム２２、２３の柱のうち連結部１４０側の柱２４、２５の周辺部に配置される部材の位置決め作業を簡略化することができる。
【００５７】
さらに、本実施形態では、追加縦桟１２６の屋内側の面１２６Ａが柱２４の屋内側の面２４Ｄよりも屋内側に配置されており、追加縦桟１２６の面１２６Ａに取り付けられる追加内壁材１２８と柱２４の屋内側の２４Ｄとの間にスペースを確保することができる。また、本態様では、追加縦桟１５８の屋内側の面１５８Ａが柱２５の屋内側の面２５Ｂよりも屋内側に配置されており、追加縦桟１５８の屋内側の面１５８Ａに取り付けられる追加内壁材１２８と柱２５の屋内側の面２５Ｂとの間にスペースを確保することができる。このため、上記のように構成されたスペースを用いて断熱材１３６を配置することができる。なお、このスペースは防湿材等の部材の配置にも用いることが可能である。したがって、本実施形態では、建物ユニット１４、１６の躯体フレーム２２、２３の柱のうち連結部１４０側の柱２４、２５の屋内側に種々の部材を配置し、建物１０の内壁１００における追加内壁材１２８で構成される部分に種々の機能を付与することができる。
【００５８】
加えて、本実施形態では、追加縦桟１２６における内壁１００の厚さ方向の寸法が、縦桟１５２における内壁１００の厚さ方向の寸法よりも小さい寸法に設定されている。このため、建物ユニット１４の柱２４と縦桟１５２との間に断熱材１３０を配置することができると共に、断熱材１３０の位置決めを追加縦桟１２６と縦桟１５２とで行うことができる。また、本実施形態では、追加縦桟１５８における内壁１００の厚さ方向の寸法が縦桟１５６における内壁１００の厚さ方向の寸法よりも小さい寸法に設定されている。このため、建物ユニット１６の柱２５と縦桟１５６との間に断熱材１３０を配置することができると共に、断熱材１３０の位置決めを追加縦桟１５８と縦桟１５６とで行うことができる。なお、これは、断熱材１３０を配置する場合に限らず、防湿材等の部材を配置する場合でも同様である。したがって、本実施形態では、建物ユニット１４、１６の躯体フレーム２２、２３の柱のうち連結部１４０側の柱２４、２５の周辺部に部材を配置可能なスペースをより広く確保し、当該部材を安定した状態で配置することができる。
【００５９】
＜上記実施形態の補足説明＞
（１）  上述した実施形態では、追加縦桟１２６の屋内側の面１２６Ａが柱２４の屋内側の面２４Ｄよりも屋内側に配置されると共に、追加縦桟１５８の屋内側の面１５８Ａが柱２５の屋内側の面２５Ｂよりも屋内側に配置されていたが、これに限らない。すなわち、追加縦桟１２６の面１２６Ａ、柱２４の面２４Ｄ、追加縦桟１５８の面１５８Ａ及び柱２５の面２５Ｂが同一平面上に配置される構成としてもよい。このような構成によっても、現地で建物ユニット１４と建物ユニット１６との連結部１４０に追加内壁材１２８を取り付けることが可能である。
【００６０】
（２）  さらに、上述した実施形態では、縦桟１５２、１５６及び追加縦桟１２６、１５８が異なる平断面形状に構成されていたが、同一の平断面形状に構成されていてもよい。
【符号の説明】
【００６１】
１０      建物
１４      建物ユニット（一方の建物ユニット）
１６      建物ユニット（他方の建物ユニット）
２２      躯体フレーム（躯体）
２３      躯体フレーム（躯体）
２４      柱（第１の柱）
２４Ｄ    面（屋内側の面）
２５      柱（第２の柱）
２５Ｂ    面（屋内側の面）
１００    内壁
１１６ 断熱材
１１８    内壁フレーム（第１内壁フレーム）
１２６    追加縦桟（第１受け部材）
１２６Ａ  面（屋内側の面）
１４０    連結部
１５２    縦桟（第１連結部側縦桟）
１５４    内壁フレーム（第２内壁フレーム）
１５６    縦桟（第２連結部側縦桟）
１５８    追加縦桟（第２受け部材）
１５８Ａ  面（屋内側の面）
【図１】
0006636786.tif 000002
【図２】
0006636786.tif 000003
【図３】
0006636786.tif 000004
【図４】
0006636786.tif 000005
【図５】
0006636786.tif 000006
【図６】
0006636786.tif 000007
【図７】
0006636786.tif 000008
【図８】
0006636786.tif 000009